(57)【特許請求の範囲】
【請求項１】
主軸に固定され、電力開閉装置の可動接触子に連結された出力レバーと、
前記電力開閉装置の開路時に蓄勢力を放勢して前記出力レバーを第１の方向に回動させ前記可動接触子を開路方向に駆動させる開路用ばねと、
前記開路用ばねの蓄勢力が保持されるように前記出力レバーと係合可能な開路用ラッチと、
カム軸に固定され、前記電力開閉装置の閉路時に回動して前記出力レバーと当接し前記出力レバーを前記第１の方向と逆方向である第２の方向に回動させ前記可動接触子を閉路方向に駆動させるカムと、
前記閉路時には蓄勢力を放勢して前記カムを回動させる閉路用ばねと、
前記閉路用ばねの蓄勢力が保持されるように前記カムと係合可能な閉路用ラッチと、
を備え、
前記カムは、
前記カム軸に固定され、前記出力レバーと当接可能なカム要素である第１の板状部と、
前記第１の板状部と平行にかつ前記第１の板状部との間に前記閉路用ラッチが挿入可能な間隔で前記第１の板状部から前記カム軸の方向に離間して配置され、平面視で前記第１の板状部よりも小さくかつ前記第１の板状部の領域内に収まるように配置され、前記出力レバーとは当接しない第２の板状部と、
前記第１および第２の板状部を前記カム軸の方向に貫通し、前記第１および第２の板状部により両端部が回動自在に支持され、前記閉路用ラッチと係合可能なピンと、
前記第１の板状部と前記第２の板状部とを連結する連結部と、を有する
ことを特徴とする電力開閉装置の操作装置。
【請求項２】
前記連結部は、ボルトであることを特徴とする請求項１に記載の電力開閉装置の操作装置。
【請求項３】
前記第１の板状部と前記第２の板状部と前記連結部とが一体に形成されていることを特徴とする請求項１に記載の電力開閉装置の操作装置。
【発明の詳細な説明】
【技術分野】
【０００１】
本発明は、電力開閉装置の操作装置に関する。
【背景技術】
【０００２】
特許文献１に記載された電力開閉装置の操作装置は、トーションバーを蓄勢し、蓄勢されたトーションバーのエネルギーを開放することにより電力開閉装置の接点の開閉を行う。トーションバーは開路用と閉路用の二種類が設けられるが、閉路用のトーションバーのエネルギーは、閉路用のトーションバーの一端部が固定された閉路用主軸を回動させ閉路用のトーションバーをねじることで得られる。【０００３】
また、閉路用主軸には閉路用レバーが固定され、この閉路用レバーにはリンクを介して大歯車が連結される。さらに、大歯車はカムが固定されたカム軸に固定される。従って、蓄勢された閉路用のトーションバーは、閉路用主軸、閉路用レバー、リンク、大歯車およびカム軸を介してカムを回動させようとするが、カムは閉路動作が開始されるまでは閉路用のラッチ機構により保持される。【０００４】
すなわち、カムには回動自在にピンが設けられ、このピンが閉路用ラッチと係合することでカムの回動が規制されて、閉路用のトーションバーにエネルギーが保持された状態が維持される。操作装置は、閉路動作時に、カムに設けられたピンと閉路用ラッチとの係合を解除し、閉路用のトーションバーのエネルギーを開放して電力開閉装置の可動接触子を閉路方向に駆動させる。
【先行技術文献】
【特許文献】
【０００５】
【特許文献１】特開平５−２８８８２号公報
【発明の概要】
【発明が解決しようとする課題】
【０００６】
しかしながら、上記従来の電力開閉装置の操作装置では、ピンは片端のみがカムに挿入されたいわゆる片持ち構造でカムに支持されているので、ピンが閉路用ラッチと係合した状態では、ピンには閉路用ラッチからの反力により曲げモーメントが作用する。曲げモーメントがピンに作用した場合には、ピンが傾き、ピンにスラスト荷重が発生し、ピンの片端とカムとの接触部位における摺動摩擦が増大し、閉路動作時に閉路用ラッチとピンとの係合の解除が妨げられることがあり、閉路動作の信頼性が低下する。【０００７】
本発明は、上記に鑑みてなされたものであって、閉路動作の信頼性の向上を図ることが可能な電力開閉装置の操作装置を提供することを目的とする。
【課題を解決するための手段】
【０００８】
上述した課題を解決し、目的を達成するために、本発明に係る電力開閉装置の操作装置は、主軸に固定され、電力開閉装置の可動接触子に連結された出力レバーと、前記電力開閉装置の開路時に蓄勢力を放勢して前記出力レバーを第１の方向に回動させ前記可動接触子を開路方向に駆動させる開路用ばねと、前記開路用ばねの蓄勢力が保持されるように前記出力レバーと係合可能な開路用ラッチと、カム軸に固定され、前記電力開閉装置の閉路時に回動して前記出力レバーと当接し前記出力レバーを前記第１の方向と逆方向である第２の方向に回動させ前記可動接触子を閉路方向に駆動させるカムと、前記閉路時には蓄勢力を放勢して前記カムを回動させる閉路用ばねと、前記閉路用ばねの蓄勢力が保持されるように前記カムと係合可能な閉路用ラッチと、を備え、前記カムは、前記カム軸に固定され、前記出力レバーと当接可能なカム要素である第１の板状部と、前記第１の板状部と平行にかつ前記第１の板状部との間に前記閉路用ラッチが挿入可能な間隔で前記第１の板状部から前記カム軸の方向に離間して配置され、平面視で前記第１の板状部よりも小さくかつ前記第１の板状部の領域内に収まるように配置され、前記出力レバーとは当接しない第２の板状部と、前記第１および第２の板状部を前記カム軸の方向に貫通し、前記第１および第２の板状部により両端部が回動自在に支持され、前記閉路用ラッチと係合可能なピンと、前記第１の板状部と前記第２の板状部とを連結する連結部と、を有することを特徴とする。
【発明の効果】
【０００９】
本発明によれば、閉路動作の信頼性の向上を図ることができる、という効果を奏する。
【図面の簡単な説明】
【００１０】
【図１】実施の形態１に係る電力開閉装置の操作装置の構成を示す正面図
【図２】図１におけるＡ−Ａ矢視断面図
【図３】図１におけるＢ−Ｂ矢視断面図
【図４】実施の形態２に係る電力開閉装置の操作装置の構成を示す正面図
【図５】図４におけるＣ−Ｃ矢視断面図
【図６】図４におけるＤ−Ｄ矢視断面図
【図７】実施の形態２の変形例におけるカムの構成を示す断面図
【発明を実施するための形態】
【００１１】
以下に、本発明に係る電力開閉装置の操作装置の実施の形態を図面に基づいて詳細に説明する。なお、この実施の形態によりこの発明が限定されるものではない。
【００１２】
実施の形態１．
図１は、本実施の形態に係る電力開閉装置の操作装置の構成を示す正面図である。図１では、電力開閉装置が閉路状態にある場合の操作装置の構成を示している。電力開閉装置は、電力系統に設けられ、故障電流もしくは負荷電流を遮断し、または系統電圧を投入する開閉装置である。電力開閉装置は例えばガス遮断器である。
【００１３】
出力レバー９は、主軸２２に固定されている。主軸２２は、筐体２０に回動自在に支持されている。主軸２２には、トーションバー２１の一端部が固定されている。トーションバー２１は、開路用ばねの一例である。トーションバー２１により、主軸２２には第１の方向である反時計方向に回転力が与えられる。出力レバー９は、図示しないリンク機構を介して電力開閉装置の可動接触子２５ａに連結される。可動接触子２５ａは固定接触子２５ｂに接触または離間する。また、出力レバー９は、緩衝器２６に連結されている。緩衝器２６は、開閉時に発生する衝撃を緩和する。出力レバー９には、開路用のラッチピンであるピン２４が設けられている。また、出力レバー９はローラ２３を有し、ローラ２３は出力レバー９に回転自在に軸支されている。
【００１４】
筐体２０には、開路用ラッチ２７が回動自在に軸支されている。開路用ラッチ２７は、ピン２４と係合している。トーションバー２１の蓄勢力は、出力レバー９を反時計方向に回動させようとしているが、開路用ラッチ２７は、出力レバー９が反時計方向に回動するのを阻止するようにピン２４と係合する。また、開路用ラッチ２７には、ピン２９が設けられている。
【００１５】
筐体２０には、開路用トリガ２８が回動自在に軸支されている。開路用トリガ２８は、開路用ラッチ２７のピン２９と係合し、開路用ラッチ２７が反時計方向に回動するのを阻止している。開路用電磁石４０は、往復動可能なプランジャ４１を有する。開路用電磁石４０は、開路信号が入力されると、プランジャ４１を図中右方向に駆動して開路用トリガ２８を押圧し、開路用トリガ２８を第１の方向と逆方向である第２の方向である時計方向に回動させて開路用トリガ２８とピン２９との係合を解除させる。
【００１６】
一方、閉路用レバー８は、閉路用主軸３１に固定されている。閉路用主軸３１は、筐体２０に回動自在に支持されている。閉路用主軸３１には、トーションバー３０の一端部が固定されている。トーションバー３０は、閉路用ばねの一例である。トーションバー３０により、閉路用主軸３１には時計方向に回転力が与えられる。
【００１７】
閉路用レバー８の一端部には、リンク６の一端部が回動自在に連結されている。リンク６の他端部は大歯車４に回動自在に連結されている。すなわち、閉路用レバー８は、リンク６を介して、大歯車４に連結されている。大歯車４は、カム軸１０に固定され、カム軸１０にカム２が固定されている。カム軸１０は、筐体２０に回動自在に支持されている。カム２は、カム軸１０を介して大歯車４と一体に回動する。また、大歯車４と噛み合う小歯車５が、筐体２０に回動自在に軸支されている。大歯車４は、トーションバー３０が蓄勢された状態では、小歯車５との噛み合いが外れるように一部の歯を欠いてある。トーションバー３０を蓄勢するため、小歯車５は図示しないモータにより反時計方向に駆動可能である。カム２には閉路用のラッチピンであるピン１が設けられている。
【００１８】
筐体２０には、閉路用ラッチ３が回動自在に軸支されている。閉路用ラッチ３は、ピン１と係合している。トーションバー３０の蓄勢力は、カム２を時計方向に回動させようとしているが、閉路用ラッチ３は、カム２が時計方向に回動するのを阻止するようにピン１と係合している。また、閉路用ラッチ３には、ピン３３が設けられている。
【００１９】
電力開閉装置の閉路時には、カム２は、閉路用ラッチ３とピン１との係合が解除されることで、時計方向に回動し、ローラ２３と当接して出力レバー９を時計方向に回動させ、可動接触子２５ａを閉路方向に駆動させる。なお、閉路方向とは、固定接触子２５ｂに向かう方向である。この際、カム２は、出力レバー９を時計方向に回動させることでトーションバー２１を蓄勢する。
【００２０】
筐体２０には、閉路用トリガ７が回動自在に軸支されている。閉路用トリガ７は、閉路用ラッチ３のピン３３と係合し、閉路用ラッチ３が反時計方向に回動するのを阻止している。
【００２１】
閉路用電磁石４５は、往復動可能なプランジャ４３を有する。閉路用電磁石４５は、経路信号が入力されると、プランジャ４３を図中右方向に駆動して閉路用トリガ７を押圧し、閉路用トリガ７を時計方向に回動させて閉路用トリガ７とピン３３との係合を解除させる。
【００２２】
次に、図２および図３を参照して、カム２の詳細な構成について説明する。図２は、図１におけるＡ−Ａ矢視断面図、図３は、図１におけるＢ−Ｂ矢視断面図である。
【００２３】
カム２は、互いに対向する１対のカム要素２ａ，２ｂと、カム要素２ａ，２ｂにより両端部が回動自在に支持されたピン１と、カム要素２ａ，２ｂ同士を締結するボルト４２とを有する。
【００２４】
カム要素２ａ，２ｂは板状である。カム要素２ａ，２ｂは、カム軸１０に固定される。カム要素２ａ，２ｂは、互いに平行であり、カム軸１０の方向と垂直となるように配置される。また、カム要素２ａ，２ｂはカム軸１０の方向に離間して配置される。カム要素２ａ，２ｂ間の間隔は、カム要素２ａ，２ｂ間に閉路用ラッチ３が挿入可能な間隔である。カム要素２ａ，２ｂは互いに同じ形状でかつ同じ大きさである。カム要素２ａは第１の板状部であり、カム要素２ｂは第２の板状部である。カム要素２ａは、カム要素２ｂとは別体である。
【００２５】
カム要素２ａにはざぐり穴４０ａが設けられ、ピン１の一端部はざぐり穴４０ａに突き出るようにカム要素２ａを貫通している。同様に、カム要素２ｂにはざぐり穴４０ｂが設けられ、ピン１の他端部はざぐり穴４０ｂに突き出るようにカム要素２ｂを貫通している。また、ピン１の一端部には溝が切られており、この溝にＣ形状の止め輪４１ａが嵌め込まれている。同様に、ピン１の他端部には溝が切られており、この溝にＣ形状の止め輪４１ｂが嵌め込まれている。止め輪４１ａ，４１ｂは、ピン１が軸方向に移動してカム要素２ａ，２ｂから脱落することを防止する。
【００２６】
ボルト４２は、例えばソケットボルトである。図示例では、ボルト４２は複数本設けられている。ボルト４２は、カム２に作用する応力を分散させ、カム要素２ａ，２ｂ間の間隔を一定に維持する。ボルト４２は、カム要素２ａ，２ｂ間を連結する連結部である。
【００２７】
このように、本実施の形態では、カム２は２枚の板状のカム要素２ａ，２ｂを有し、ピン１の両端部はカム要素２ａ，２ｂにより回動自在に支持されている。すなわち、ピン１は、カム要素２ａ，２ｂにより両持ち構造で支持されている。また、カム要素２ａ，２ｂ間に閉路用ラッチ３の一部が挿入され、閉路用ラッチ３とピン１とが係合することで、カム２の回動が規制され、トーションバー３０の蓄勢力が保持される。
【００２８】
なお、図２に示すように、カム２は、筐体２０内でカム軸１０の方向の中心に配置されるので、閉路用ラッチ３および閉路用トリガ７も筐体２０内でカム軸１０の方向の中心に配置され、従来に比べて、カム軸１０の方向にバランスのとれた配置構成となる。
【００２９】
また、カム要素２ａ，２ｂはともにローラ２３に当接して出力レバー９を回動させることができる。なお、「カム要素」は、カム２のうち出力レバー９に回動可能に取付けられたローラ２３と当接する部分である。
【００３０】
次に、本操作装置の動作について説明する。なお、本操作装置の動作は、上記したカム２の構造に関係する点を除けば、特許文献１に記載された操作装置の動作と同様であることから、以下では概略のみを説明する。
【００３１】
まず、開路動作の概略は以下の通りである。図１に示す閉路状態において、出力レバー９にはトーションバー２１により反時計方向の回転力が加えられているが、開路用ラッチ２７および開路用トリガ２８により反時計方向の回動が規制されている。この状態で、開路用電磁石４０に開路信号が入力され、開路用電磁石４０が励磁されると、プランジャ４１が同図中右方向に動作し、プランジャ４１に押された開路用トリガ２８が時計方向に回動し、開路用トリガ２８とピン２９との係合が解除される。このため、開路用ラッチ２７がピン２４からの反力により反時計方向に回動し、開路用ラッチ２７とピン２４との係合が解除され、出力レバー９が反時計方向に回動する。これにより、可動接触子２５ａが開路方向に駆動されて、開路状態となる。なお、開路方向とは、可動接触子２５ａが固定接触子２５ｂから離れる方向である。
【００３２】
続いて、閉路動作の概略は以下の通りである。上記した開路状態において、カム２には、カム軸１０、大歯車４、リンク６、閉路用レバー８および閉路用主軸３１を介して、トーションバー３０による時計方向の回転力が加えられているが、閉路用ラッチ３および閉路用トリガ７により時計方向の回動が規制されている。特に、閉路用ラッチ３は、ピン１と係合している。この状態で、閉路用電磁石４５に閉路信号が入力され、閉路用電磁石４５が励磁されると、プランジャ４３が同図中右方向に動作し、プランジャ４３に押された閉路用トリガ７が時計方向に回動し、閉路用トリガ７とピン３３との係合が解除される。このため、閉路用ラッチ３がピン１からの反力により反時計方向に回動し、閉路用ラッチ３とピン１との係合が解除され、カム２が時計方向に回動する。この際、ピン１は両持ち構造でカム要素２ａ，２ｂに支持されているので、片持ち構造の場合と比べて、ピン１の傾きが抑制され、スラスト荷重の発生が抑制されるので、ピン１とカム２との接触部位における摺動摩擦が抑制され、閉路用ラッチ３とピン１との係合の解除が容易になる。カム２の回動により、カム要素２ａ，２ｂがローラ２３に当接し、カム２がローラ２３を押し上げるため、出力レバー９がトーションバー２１をねじりながら時計方向に回動する。これにより可動接触子２５ａが閉路方向に駆動されて、閉路状態となる。
【００３３】
なお、閉路直後には、トーションバー３０は放勢状態にあるが、小歯車５を上記したモータにより反時計方向に回転させることで、大歯車４が時計方向に回動し、リンク６、閉路用レバー８および閉路用主軸３１を介して、トーションバー３０が蓄勢されると共に、閉路用ラッチ３とピン１とが係合し、図１に示す閉路状態に復帰する。
【００３４】
以上に説明したように、本実施の形態は、主軸２２に固定され、電力開閉装置の可動接触子２５ａに連結された出力レバー９と、電力開閉装置の開路時に蓄勢力を放勢して出力レバー９を反時計方向に回動させ可動接触子２５ａを開路方向に駆動させるトーションバー２１と、トーションバー２１の蓄勢力が保持されるように出力レバー９と係合可能な開路用ラッチ２７と、カム軸１０に固定され、電力開閉装置の閉路時に回動して出力レバー９に回動可能に取付けられたローラ２３と当接し出力レバー９を時計方向に回動させて可動接触子２５ａを閉路方向に駆動させるカム２と、閉路時に蓄勢力を放勢してカム２を回動させるトーションバー３０と、トーションバー３０の蓄勢力が保持されるようにカム２と係合可能な閉路用ラッチ３と、を備え、カム２は、互いに対向する１対のカム要素２ａ，２ｂと、カム要素２ａ，２ｂにより両端部が回動自在に支持されたピン１と、カム要素２ａ，２ｂ同士を締結するボルト４２と、を有する。
【００３５】
本実施の形態によれば、ピン１がカム２に両持ち構造で支持されるようにしたので、ピン１が閉路用ラッチ３と係合した状態で、ピン１の傾きが抑制され、スラスト荷重の発生が抑制されるので、カム２に挿入されたピン１の両端部とカム２との接触部位における摺動摩擦が抑制されて、閉路用ラッチ３とピン１との係合の解除が容易となり、安定した係合解除が実現され、閉路動作の信頼性が向上する。
【００３６】
なお、本実施の形態では、開路用ばねとしてトーションバー２１を用い、閉路用ばねとしてトーションバー３０を用いているが、これに限定されず、例えばコイルばねを用いてもよい。
【００３７】
本実施の形態では、カム要素２ａ，２ｂにそれぞれざぐり穴４０ａ，４０ｂを設けているが、ざぐり穴４０ａ，４０ｂを設けることなくピン１をカム要素２ａ，２ｂに貫通させてもよい。
【００３８】
また、ピン１は、カム２により回動自在に支持されるが、ピン１の一端部とカム要素２ａとの間およびピン１の他端部とカム要素２ｂとの間にそれぞれ図示しない軸受を設けることで、ピン１の回動がより円滑になる。
【００３９】
実施の形態２．
図４は、本実施の形態に係る電力開閉装置の操作装置の構成を示す正面図、図５は、図４におけるＣ−Ｃ矢視断面図、図６は、図４におけるＤ−Ｄ矢視断面図である。なお、図４および図５では、図１および図２に示す構成要素と同一の構成要素には同一の符号を付している。
【００４０】
図４から図６に示すように、本実施の形態１では、実施の形態１と比較して、カム２の構成が異なる。具体的には、以下の通りである。
【００４１】
カム２は、カム要素２ａと、カム要素２ａと平行にかつカム要素２ａとの間に閉路用ラッチ３が挿入可能な間隔でカム要素２ａからカム軸１０の方向に離間して配置された板状部１２と、カム要素２ａおよび板状部１２により両端部が回動自在に支持されたピン１と、カム要素２ａと板状部１２とを締結するボルト４２とを有する。
【００４２】
カム要素２ａは板状である。板状部１２は、平面視でカム要素２ａより小さくかつカム要素２ａの領域内に収まるように配置される。板状部１２は平面視で例えば円形である。ここで、平面視は、カム軸１０の方向からみたときの平面視である。板状部１２は、カム要素２ａとは別体である。カム要素２ａはカム軸１０に固定されるが、板状部１２はカム軸１０に固定されない。カム要素２ａおよび板状部１２は、互いに平行であり、カム軸１０の方向と垂直となるように配置される。また、カム要素２ａおよび板状部１２はカム軸１０の方向に離間して配置される。カム要素２ａおよび板状部１２間の間隔は、カム要素２ａおよび板状部１２間に閉路用ラッチ３が挿入可能な間隔である。カム要素２ａは第１の板状部であり、板状部１２は第２の板状部である。
【００４３】
ピン１の一端部は板状部１２を貫通し、ピン１の他端部はカム要素２ａを貫通している。また、ピン１の一端部には溝が切られており、この溝にＣ形状の止め輪４１ａが嵌め込まれている。同様に、ピン１の他端部には溝が切られており、この溝にＣ形状の止め輪４１ｂが嵌め込まれている。止め輪４１ａ，４１ｂは、ピン１が軸方向に移動してカム要素２ａおよび板状部１２から脱落することを防止する。
【００４４】
ボルト４２は、例えばソケットボルトである。ボルト４２は、板状部１２を貫通し、カム要素１２ａに設けられためねじにねじ込まれる。図示例では、ボルト４２は複数本設けられている。ボルト４２は、カム要素２ａおよび板状部１２間の間隔を一定に維持する。ボルト４２は、カム要素２ａおよび板状部１２間を連結する連結部である。
【００４５】
このように、カム２は、従来と同様のカム要素２ａにめねじを設け、板状部１２をボルト４２でカム要素２ａに締結し、ピン１の両端部をカム要素２ａと板状部１２で支持する構造である。
【００４６】
また、図５に示すように、カム２は、筐体２０内でカム軸１０の方向の中心に配置されるが、閉路用ラッチ３は実施の形態１のようにカム２に挟み込まれる形とならないので、閉路用ラッチ３および閉路用トリガ７のカム軸１０の方向における配置は従来と同じ配置にすることができ、設計変更の必要がない。
【００４７】
本実施の形態は、カム要素２ａに板状部１２を組み合わせてピン１を両持ち構造としているため、従来からの設計変更が少なく、シンプルな構造でありながら、実施の形態１と同様の効果、すなわち、閉路用ラッチ３とピン１との係合の解除が容易となり、安定した係合解除が実現され、閉路動作の信頼性が向上するという効果が得られる。
【００４８】
なお、板状部１２は、平面視でカム要素２ａより小さくかつカム要素２ａの領域内に収まるように配置されるので、ローラ２３に当接して出力レバー９を回動させることができるのは、カム２のうちカム要素２ａのみである。
【００４９】
図７は、本実施の形態の変形例におけるカム２の構成を示す断面図であり、図６に相当する図である。図７に示すように、カム２は、カム要素２ａと板状部１２とが柱状の連結部１３により一体に形成されて構成される。そのため、カム要素２ａと板状部１２とをボルト４２で連結する必要がない。
【００５０】
本変形例によれば、カム要素２ａと板状部１２と連結部１３とが一体に形成されているので、部品点数が削減されるという効果を奏する。本変形例のその他の効果は図６に示すカム２の場合と同じである。
【００５１】
本実施の形態のその他の構成、動作および効果は実施の形態１と同じである。
【００５２】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５３】
１，２４，２９，３３  ピン、２  カム、２ａ，２ｂ  カム要素、３  閉路用ラッチ、４  大歯車、５  小歯車、６  リンク、７  閉路用トリガ、８  閉路用レバー、９  出力レバー、１０  カム軸、１２  板状部、１３  連結部、２０  筐体、２１，３０  トーションバー、２２  主軸、２３  ローラ、２５ａ  可動接触子、２５ｂ  固定接触子、２６  緩衝器、２７  開路用ラッチ、２８  開路用トリガ、３１  閉路用主軸、４０  開路用電磁石、４０ａ，４０ｂ  ざぐり穴、４１，４３  プランジャ、４１ａ，４１ｂ  止め輪、４２  ボルト、４５  閉路用電磁石。
【要約】
電力開閉装置の操作装置は、電力開閉装置の可動接触子に連結された出力レバーと、電力開閉装置の開路時に蓄勢力を放勢して出力レバーを反時計方向に回動させ可動接触子を開路方向に駆動させるトーションバーと、トーションバーの蓄勢力が保持されるように出力レバーと係合可能な開路用ラッチと、電力開閉装置の閉路時に回動して出力レバーと当接し出力レバーを時計方向に回動させ可動接触子を閉路方向に駆動させるカム（２）と、閉路時に蓄勢力を放勢してカム（２）を回動させるトーションバーと、トーションバーの蓄勢力が保持されるようにカム（２）と係合可能な閉路用ラッチ（３）と、を備える。カム（２）は、互いに対向する１対のカム要素（２ａ，２ｂ）と、カム要素（２ａ，２ｂ）により両端部が回動自在に支持されたピン（１）と、カム要素（２ａ，２ｂ）同士を締結するボルト（４２）と、を有する。【図１】
0005916973.tif 000002
【図２】
0005916973.tif 000003
【図３】
0005916973.tif 000004
【図４】
0005916973.tif 000005
【図５】
0005916973.tif 000006
【図６】
0005916973.tif 000007
【図７】
0005916973.tif 000008